(57)【要約】      （修正有）【課題】モータからへ伝達される振動を低減するアクチュエータケーシングを提供する。【解決手段】ケーシングはモータを収容し、モータは、軸、軸に対して実質的に直交する２つの端部プレート、及びそれぞれ軸に沿って２つの端部プレートから突出する２つのボスを備える。ケーシングは、２つの当接プレート１０４，１０６を含む。当接プレートの各々は、他方の当接プレートに対して実質的に向かい合い、対応するモータの端部プレートに対して当接するアーチ形抵抗面１０８ａを備える。２つの抵抗面の間の距離は、中央部から側部まで増大する。当接プレートの各々は、端部に形成され、対応する抵抗面の中央部に沿って延びるノッチ１０４ｂ、１０６ｂを含み、対応するモータのボスを収容する。【選択図】図１
0003184622.tif 000002
【実用新案登録請求の範囲】
【請求項１】
軸、前記軸に対して実質的に直交する２つの端部プレート、及びそれぞれ前記軸に沿って前記２つの端部プレートから突出する２つのボスを備えるモータを収容するように構成されるケーシングであって、前記ケーシングは２つの当接プレートを備え、前記当接プレートの各々は、他方の当接プレートに対して実質的に向かい合い、対応する前記端部プレートに対して当接するアーチ形抵抗面を備え、前記２つの抵抗面の間の距離は、中央部から側部まで増大し、前記当接プレートの各々は、端部に形成されて対応する前記抵抗面の中央部に沿って延び、対応する前記ボスを収容するノッチを備える、ケーシング。
【請求項２】
底面プレートを更に備え、前記２つの当接プレートが前記底面プレートから延びる、請求項１に記載のケーシング。
【請求項３】
前記底面プレートから突出する複数の第１の抵抗要素を更に備え、前記複数の第１の抵抗要素は、前記２つのノッチの中心を通る中心線の両側に配置され、前記モータが前記底面プレートから離間するように前記モータに対して当接するようになっている、請求項２に記載のケーシング。
【請求項４】
前記第１の抵抗要素の各々は、前記中心線の各々の側面に配置されると共にそれぞれ対応する前記当接プレートに隣接した位置に配置され、前記第１の抵抗要素の各々は三角柱状の形状であり、前記モータに対して点接触の様態で接触するように構成される、請求項３に記載のケーシング。
【請求項５】
前記底面プレートから突出する２つの支持要素を更に備え、前記２つの支持要素は、それぞれ他方の当接プレートから見て外方に向く対応する前記当接プレートの表面に結合する、請求項２から４のいずれかに記載のケーシング。
【請求項６】
前記支持要素の各々は、前記表面の中央部に結合されるＶ形先端を有するＶ形である、請求項５に記載のケーシング。
【請求項７】
当接プレートの前記抵抗面から突出する突出部を更に備え、前記突出部の上端は、対応する前記ノッチの底部と同じか又はそれよりも下にあり、前記突出部は、実質的に他の当接プレートに向かい合うアーチ形表面を備える、請求項１から６のいずれかに記載のケーシング。
【請求項８】
前記底面プレートに向かい合う上部プレートを更に備える、請求項２から７のいずれかに記載のケーシング。
【請求項９】
前記上部プレートから突出する複数の第２の抵抗要素を更に備え、前記第２の抵抗要素は、前記中心線の両側に配置され、前記モータが前記底面プレートから離間するように前記モータに対して当接するようになっている、請求項８に記載のケーシング。
【請求項１０】
前記第２の抵抗要素は、前記中心線の各々の側面に配置され、前記第２の抵抗要素の各々は三角柱状の形状であり、前記モータに対して点接触の様態で接触するように構成される、請求項９に記載のケーシング。
【請求項１１】
前記ケーシングは、第１の部分及び取り外し可能な第２の部分を備え、前記第１の部分は、前記底面プレート及び前記２つの当接プレートを備え、前記第２の部分は、前記上部プレートを備える、請求項８から１０のいずれかに記載のケーシング。
【請求項１２】
軸、前記軸に対して実質的に直交する２つの端部プレート、及びそれぞれ前記軸に沿って前記２つの端部プレートから突出する２つのボスを有するモータと、
請求項１から１１のいずれかに記載の前記モータを収容するケーシングと、
を備えるアクチュエータ。
【考案の詳細な説明】
【技術分野】
【０００１】
本考案はケーシングに関し、詳細にはモータを収容するアクチュエータケーシングに関する。
【背景技術】
【０００２】
多くの電子機器は、モータ又はモータが組み込まれたアクチュエータを使用しており、モータは、２つの端面及び該２つの端面の間をモータ軸に沿って延びる２つの円筒ボスを有する。電子機器のケーシングは、通常、少なくとも２つの平面プレートで取り囲まれモータを収容するようになった区画を定める。２つのプレートは互いに向かい合い、それぞれモータの２つの端面に接触する。
【考案の概要】
【考案が解決しようとする課題】
【０００３】
従って、作動時、モータからの振動は、少なくとも平面プレート全体を経由してケーシングに伝達され、激しい振動及び高ノイズが電子機器から発せられるようになる。
【課題を解決するための手段】
【０００４】
本考案は、モータからケーシングへ伝達される振動が低減される新規なケーシングを提供することを目的とする。このことは、モータを挟み込む２つのアーチ形当接プレートを有するケーシングを備えることで実現され、モータの２つの端面は、当接プレートに線接触の様態で接触するようになっている。
【０００５】
従って、１つの態様において、本考案はモータを収容するケーシングを提供する。本モータは、軸、該軸に対して実質的に直交する２つの端部プレート、及びそれぞれ該軸に沿って２つの端部プレートから突出する２つのボスを備える。ケーシングは、２つの当接プレートを含む。当接プレートの各々は、他方の当接プレートに対して実質的に向かい合い、対応する端部プレートに対して当接するアーチ形抵抗面を備える。２つの抵抗面の間の距離は、中央部から側部まで増大する。当接プレートの各々は、端部から陥凹して対応する抵抗面の中央部に露出するノッチを含む。２つのボスは、それぞれ２つのノッチに収容される。
【０００６】
背景技術に説明した従来のケーシングに比べてケーシングとモータとの間の接触面積が小さいので、モータ２０からの振動の僅か一部がケーシング１０に伝達されるだけである。
【０００７】
好ましくは、ケーシングは底面プレートを更に備え、２つの当接プレートは底面プレートから延びる。
【０００８】
好ましくは、ケーシングは、底面プレートから突出する複数の第１の抵抗要素を更に備え、複数の第１の抵抗要素は、２つのノッチの中心を通る中心線の両側に配置され、モータが底面プレートから離間するようにモータに対して当接するようになっている。従って、モータはケーシング内に確実に収容することができる。
【０００９】
好ましくは、２つの第１の当接要素は、中心線の各々の側面に配置されると共にそれぞれ対応する当接プレートに隣接した位置に配置され、第１の当接要素の各々は三角柱状の形状であり、モータに対して点接触の様態で接触するように構成される。
【００１０】
好ましくは、ケーシングは、底面プレートから突出する２つの支持要素を更に備え、２つの支持要素は、それぞれ他方の当接プレートから見て外方に向く対応する当接プレートの表面に結合する。このようにして当接プレートは強化される。
【００１１】
好ましくは、支持要素の各々は、前記表面の中央部に結合されるＶ形先端を有するＶ形である。
【００１２】
好ましくは、ケーシングは、当接プレートの抵抗面から突出する突出部を更に備え、突出部の上端は、対応するノッチの底部と同じか又はそれよりも下にあり、突出部は、実質的に他の当接プレートに向かい合うアーチ形表面を備える。従って、モータはケーシング内で回動しない。
【００１３】
好ましくは、ケーシングは、底面プレートに向かい合う上部プレートを更に備える。
【００１４】
好ましくは、ケーシングは、上部プレートから突出する複数の第２の抵抗要素を更に備え、第２の抵抗要素は、中心線の両側に配置され、モータが底面プレートから離間するようにモータに対して当接するようになっている。従って、モータはケーシング内に確実に収容することができる。
【００１５】
好ましくは、第２の抵抗要素は、中心線の各々の側面に配置され、第２の抵抗要素の各々は三角柱状の形状であり、モータに対して点接触の様態で接触するように構成される。
【００１６】
好ましくは、ケーシングは、第１の部分及び取り外し可能な第２の部分を備え、第１の部分は、底面プレート及び２つの当接プレートを備え、第２の部分は、上部プレートを備える。
【００１７】
従って、他の態様において、本考案はアクチュエータを提供し、本アクチュエータは、モータ及び該モータを収容するケーシングを含む。モータは、軸、該軸に対して実質的に直交する２つの端部プレート、及びそれぞれ軸に沿って２つの端部プレートから突出する２つのボスを有する。ケーシングは、２つの当接プレートを含む。当接プレートの各々は、実質的に他の当接プレートに向かい合い、対応する端部プレートに対して当接するアーチ形抵抗面を含む。軸に平行な方向において、２つの抵抗面の間の距離は、中央部から端部まで増大する。当接プレートの各々は、端部から陥凹して対応する抵抗面の中央部に露出するノッチを含む。２つのボスは、それぞれ２つのノッチに収容される。
【００１８】
本考案の好適な実施形態は、例示的に、添付の図面を参照して以下に説明される。各図において、１つ以上の図に表示される同一の構造、構成要素、又は部品には、それらが表示される全ての図において同じ参照数字が付与されている。図示の構成要素及び特徴部の寸法は、説明の便宜及び明瞭にするように概略的に選択されており、必ずしも縮尺通りに示されていない。
【図面の簡単な説明】
【００１９】
【図１】１つの実施形態による第１の部分及び第２の部分を含むケーシングの組立分解図である。
【図２】図１のケーシングに収容できるモータを示す。
【図３】図１のケーシングの第１の部分を示す。
【図４】点線で示される図２のモータが組み込まれた、ケーシングの第１の部分の平面図である。
【図５】図１のケーシングの第２の部分を示す。
【図６】モータが収容されたケーシングの一部の拡大断面図である。
【考案を実施するための形態】
【００２０】
本考案によれば、ケーシング１０は、モータ２０を収容するようになっている。モータ２０は、本体２１及び軸２３を含む。軸はアクチュエータの歯車列を駆動するウォーム又は平歯車を支持する。本体２１は、軸２３に対して略直交する２つの平らな端部プレート２２と、それぞれ軸２３に沿って端部プレート２２から突出する２つの円筒ボス２４を含む。本体２１の端部には、ギャップ２６が形成されている。ケーシング１０は、相互に結合してモータ２０を収容する区画を形成する第１の部分１００及び第２の部分２００を含む。
【００２１】
第１の部分１００は、底面プレート１０２、第１の当接プレート１０４、第２の当接プレート１０６、突出部１０８、２つの支持要素１１０、及び４つの第１の抵抗要素１１２を含む。第１の当接プレート１０４及び第２の当接プレート１０６は、底面プレート１０２から垂直方向に延びている。第１の当接プレート１０４は、第１のアーチ形の抵抗面１０４ａを含み、これは実質的に第２の当接プレート１０６と向かい合っている。第１の当接プレート１０４は、底面プレート１０２から遠位の端部に形成され、第１の抵抗面１０４ａの中央部に沿って底面プレート１０２に向かって延びる第１のノッチ１０４ｂを有する。第２の当接プレート１０６は、実質的に第１の当接プレート１０４に向かい合う表面１０６ａを含み、底面プレート１０２から遠位の端部に形成され、表面１０６ａの中央部に沿って底面プレート１０２に向かって延びる第２のノッチ１０６ｂを有する。突出部１０８は表面１０６ａから突出する。突出部１０８の上端は、第２のノッチ１０６ｂの底部と同じか又はそれより下方にある。突出部１０８は実質的に第１の当接プレート１０４と向かい合う第２のアーチ形抵抗面１０８ａを含む。軸２３に平行な方向において、第１の抵抗面１０４ａと第２の抵抗面１０８ａとの間の距離は、２つの抵抗面の中央部から２つの抵抗面の側部まで徐々に増大する。
【００２２】
支持要素１１０は底面プレート１０２から垂直方向に延びる。各支持要素１１０はＶ形であり、その先端に相互連結部１１１を有する、各相互連結部１１１は、対応する当接プレート１０４、１０６を支持するために、対応する抵抗面１０４ａ、１０８ａから見て外方を向いた当接プレート１０４、１０６の表面に結合される。第１の抵抗要素１１２の各々は、底面プレート１０２から突出し、三角柱状の形状である。２つの第１の抵抗要素１１２は、第１のノッチ１０４ｂの中心及び第２のノッチ１０６ｂの中心を通る中心線（図示せず）の一方側に配置されるが、他の２つの抵抗要素は他方側に配置され、その端部は互いに向かい合う。
【００２３】
図５に示すように、ケーシングの第２の部分２００は、上部プレート２０２及び該上部プレート２０２から突出する２つの第２の抵抗要素２０４を含む。また、第２の抵抗要素２０４の各々は、三角柱状の形状であり、第１のノッチ１０４ｂの中心及び第２のノッチ１０６ｂの中心を通る中心線の対応する側に配置される。
【００２４】
図６に示すように、組み立て時に、モータ２０は、底面プレート１０２、第１の当接プレート１０４、及び第２の当接プレート１０６で定められる区画内に収容される。２つのボス２４は、それぞれ第１のノッチ１０４ｂ及び第２のノッチ１０６ｂに収容されるが、２つの端部プレート２２は、それぞれ第１の抵抗面１０４ａ及び第２の抵抗面１０８ａに対して当接する。突出部１０８はギャップ２６に受け入れられる。第１の抵抗面１０４ａ及び第２の抵抗面１０８ａは両方ともアーチ形なので、モータの２つの平らな端部プレート２２は２つの抵抗面１０４ａ、１０８ａに線接触の様態で接触し、これにより２つの抵抗面１０４ａ、１０８ａと２つの端部プレート２２との間の接触面積が小さくなる。第１の抵抗要素１１２は、モータ本体２１の軸方向の両側を点接触の様態で保持するので、本体２１は底面プレート１０２から離間することになる。ケーシングの第２の部分２００が第１の部分１００に結合される場合、本体２１が上部プレート２０２から離間するように、第２の抵抗要素２０４は、本体２１の中央部に点接触の様態で当接する。このようにして、本体２１はケーシング１０内に点接触の様態でしっかりと収容されるので、ケーシング１０と本体２１との間の接触面積が少なくなるか又は最小になる。従って、従来のケーシングに比較して、モータ２０からの振動の僅か一部がケーシング１０に伝達されるだけである。
【００２５】
突出部１０８はモータ２０の回動を防止するが、突出部１０８はボス２４が第１及び第２のノッチ１０４ｂ、１０６ｂに固定的に収容される場合は省略することができる。この構成において、表面１０６ａは第２の抵抗面１０８ａの機能を果たすようにアーチ形とすることができる。また、モータ２０が第１の抵抗面１０４ａと表面１０６との間に固定的に挟み込まれる場合、ボス２４は、第１及び第２のノッチ１０４ｂ、１０６ｂに疎結合の状態で収容することができる。
【００２６】
第１及び第２の抵抗要素１１２、２０４の数、構造、及び位置は、接触面積を低減するために本体２１と線接触の様態で接触する限り、本実施形態に示す構成に限定されるものではないことを理解されたい。また、第１及び第２の抵抗要素１１２、２０４がモータ２０に接触する様態は、振動伝達を少なくするために接触面積が低減される限り、点接触以外にも線接触又は面接触の様態とすることができることを理解されたい。
【００２７】
また、支持要素１１０の形状は本実施形態に示す構成に限定されないことを理解されたい。支持要素１１０は、第１及び第２の抵抗プレート１０４、１０６が十分に強固である場合は省略できる。
【００２８】
本出願の説明及び請求項において、「備える」、「含む」、「包含する」、「有する」の各動詞、及びその語形変化は、記載される項目の存在を明示するが追加項目の存在を除外するものではない、包括的な意味に用いられる。
【００２９】
本考案は、１つ又はそれ以上の好適な実施形態に関して説明したが、当業者であれば種々の変更が可能であることを理解できるはずである。従って、本考案の範囲は下記の実用新案登録請求の範囲を参照することにより明らかになる。
【符号の説明】
【００３０】
１０  ケーシング
１００  第１の部分
１０２  底面プレート
１０４  第１の当接プレート
１０４ａ  第１の抵抗面
１０６  第２の当接プレート
１０６ａ  表面
１０６ｂ  第２のノッチ
１０８  突出部
１０８ａ  第２の抵抗面
１１２  第１の抵抗要素
２００  第２の部分
【図１】
0003184622.tif 000003
【図２】
0003184622.tif 000004
【図３】
0003184622.tif 000005
【図４】
0003184622.tif 000006
【図５】
0003184622.tif 000007
【図６】
0003184622.tif 000008